(57)【要約】      （修正有）【課題】色彩は任意で、３種類の単純な形状を有する、柔軟性のある複数の駒片を用意し、それらの駒片を好みに合わせて自由に組み合わせてデザインのバリエーションを楽しむことができる帯体及び帯体用駒片組を提供する。【解決手段】柔軟な平面状の部材により短冊形に形成され、両端に同寸の穴を設けた第１駒片と、柔軟な平面状の部材により繭形に形成され、狭幅部分を挟んだ両側に広幅部分を有する第２駒片と、第２駒片の広幅部分それぞれに同寸の穴を設けた第３駒片と、を備える。第２駒片及び第３辺の何れか一方又は双方を連結した連結部材を、第１駒片の二つの穴のうちの何れか一方又は双方に連結して形成した。【選択図】図５
0003157589.tif 000002
【実用新案登録請求の範囲】
【請求項１】
柔軟な平面状の部材により短冊形に形成され、両端に同寸の穴を設けた第1駒片と、
柔軟な平面状の部材により繭形に形成され、狭幅部分を挟んだ両側に広幅部分を有する第２片と、
前記第２駒片の広幅部分それぞれに同寸の穴を設けた第３駒片と、を備え、
前記第２駒片及び前記第３辺の何れか一方又は双方を連結した連結部材を、前記第1駒片の二つの穴のうちの何れか一方又は双方に連結して形成したことを特徴とする帯体。
【請求項２】
前記連結部材は、前記第３駒片の一つを折半して広幅部分を重ね合わせ、重ね合わせて形成された二重穴に、他の第３駒片の一方の広幅部分を潜らせ、潜らせた該一方の広幅部分を他方の広幅部分に重ね合わせて二重穴を形成し、順次別の第３駒片を連結した第１の連結部材を含むことを特徴とする請求項１記載の帯体。
【請求項３】
前記連結部材は、前記第３駒片の一方の広幅部分の穴に、他の該第３駒片の一方の広幅部分を潜らせ、潜らせた該一方の広幅部分の穴に該他の第３駒片の他方の広幅部分の穴を潜らせ、潜らせた該他方の広幅部分の穴に順次別の他の該第３駒片を連結した第２の連結部材を含むことを特徴とする請求項１記載の帯体。
【請求項４】
前記連結部材は、前記第１の連結部材の最後の二重穴に、前記第２駒片の一方の広幅部分を潜らせ、潜らせた該一方の広幅部分を他方の広幅部分に重ね合わせて連結した第３の連結部材を含むことを特徴とする請求項２記載の帯体。
【請求項５】
前記連結部材は、前記第２の連結部材の最後の穴に、前記第２駒片の一方の広幅部分を潜らせ、潜らせた該一方の広幅部分を他方の広幅部分に重ね合わせて連結した第４の連結部材を含むことを特徴とする請求項３記載の帯体。
【請求項６】
柔軟な平面状の部材により短冊形に形成され、両端に同寸の穴を設けた第1駒片と、
柔軟な平面状の部材により繭形に形成され、狭幅部分を挟んだ両側に広幅部分を有する第２駒片と、
前記第２駒片の広幅部分それぞれに同寸の穴を設けた第３駒片と、を備え、
前記第２駒片及び前記第３辺の何れか一方又は双方を組み合わせて連結した連結部材を、前記第1駒片の二つの穴のうちの何れか一方又は双方に連結して帯状部材を形成することを特徴とする駒片組。
【請求項７】
前記第1駒片は、前記第２駒片よりも長尺であることを特徴とする駒片組。
【請求項８】
前記第３駒片の広幅部分の穴径は、狭幅部分の幅よりも小さいことを特徴とする駒片組。
【考案の詳細な説明】
【技術分野】
【０００１】
本考案は、バッグ、折り畳み傘、携帯電話、カメラなどの手提紐、あるいは時計バンド、ペットの首輪、リストバンドなどのベルトに使用する柔軟な帯体、及びその帯体を構成する帯体用駒片に関するものである。
【背景技術】
【０００２】
従来、バッグ、折り畳み傘、携帯電話、カメラなどの手提紐や、時計バンド、ペットの首輪、リストバンドなどのベルトに使用する帯体は、金属、皮や合成皮革布、布、あるいは合成ゴムなどの樹脂を帯状にして用いるのが一般的である。
しかしながら、金属製のものは、堅牢ではあるが重いうえに、スポーツ等を行う場合には衝撃で壊れることがある。
そこで、適当な長さの紐状物の両端を結んで腕に取り付ける簡便な方法も考えられるが、装飾性に乏しいという欠点があることから、複数の紐芯を寄り合わせて平面状に形成した紐の一端に比較的長い自由紐を連結すると共に、紐本体の他端に環状に形成された無端紐の両端を連結し、その無端紐を折り返してハート状に形成し、自由紐をハート状の無端紐に挿通した飾り紐が提案されている（特許文献１参照）。
また、帯体は、装飾性、ファッション性が強く、使用者の好みに応じて、色、模様などのデザインを変えたいという欲求もある。そこで、使用者が自分でデザインを自由に変えることができ、デザインのバリエーションが楽しめるように、バンド部材の一部を容易に交換できるようにしたものが提案されている（特許文献２参照）。
一方、手提紐やベルトなどの帯体を通常の平織または綾織組織の縫製手段で縫製した平紐あるいはベルトは、紐体がきわめて柔軟で変形し易く、物品によっては硬直性がないため掴み難く、また取扱い難いといった欠点があることから、両側縁部に柔軟性のある弾性織地と、中央部に硬直性のある弾性織地とを組み合わせ併設して、帯体に適度な硬直性と風合いとを具備させる方法が提案されている（特許文献３参照）。
【先行技術文献】
【特許文献】
【０００３】
【特許文献１】実開平６−６４５１０号公報
【特許文献２】特開平９−８４６０８号公報
【特許文献３】特開平１１−３３２６３３号公報
【考案の概要】
【考案が解決しようとする課題】
【０００４】
本考案は、上記事情に鑑み、色彩は任意で、３種類の単純な形状を有する、柔軟性のある複数の駒片を用意し、それらの駒片を好みに合わせて自由に組み合わせてデザインのバリエーションを楽しむことができる帯体及び帯体用駒片組を提供することを目的とする。
【課題を解決するための手段】
【０００５】
本考案の帯体は、柔軟な平面状の部材により短冊形に形成され、両端に同寸の穴を設けた第1駒片と、柔軟な平面状の部材により繭形に形成され、狭幅部分を挟んだ両側に広幅部分を有する第２片と、上記第２駒片の広幅部分それぞれに同寸の穴を設けた第３駒片と、を備え、上記第２駒片及び上記第３辺の何れか一方又は双方を連結した連結部材を、上記第1駒片の二つの穴のうちの何れか一方又は双方に連結して形成したことを特徴とする。
このように、柔軟性を有する、例えば皮を型抜きしたシンプルな形状の３種類の駒片を組み合わせて連結することにより帯体を形成すれば、名前やペットネーム、キャッチフレーズ、キャラクタなどを刻印したり印刷して、使用者の好みに応じて、文字、図形、色彩、模様などを付し、デザインのバリエーションが楽しむことができる。
【０００６】
ここで、上記連結部材は、上記第３駒片の一つを折半して広幅部分を重ね合わせ、重ね合わせて形成された二重穴に、他の第３駒片の一方の広幅部分を潜らせ、潜らせた該一方の広幅部分を他方の広幅部分に重ね合わせて二重穴を形成し、順次別の第３駒片を連結した第１の連結部材を含むことにしてもよいし、上記第１の連結部材の最後の二重穴に、上記第２駒片の一方の広幅部分を潜らせ、潜らせた該一方の広幅部分を他方の広幅部分に重ね合わせて連結した第３の連結部材を含むことにしてもよい。
このように、第２駒片又は第３駒を折半し、重ね合わせて使用すれば、強度があるうえ、二重穴の径を、第２駒片や第３駒片の狭幅部分の幅よりも少し小さ目にすれば、伸縮性があるので、肌にやさしいうえ、適度な強度と伸縮性とを持った帯体を作成できる。
【０００７】
また、上記連結部材は、上記第３駒片の一方の広幅部分の穴に、他の該第３駒片の一方の広幅部分を潜らせ、潜らせた該一方の広幅部分の穴に該他の第３駒片の他方の広幅部分の穴を潜らせ、潜らせた該他方の広幅部分の穴に順次別の他の該第３駒片を連結した第２の連結部材を含むことにしてもよいし、上記第２の連結部材の最後の穴に、上記第２駒片の一方の広幅部分を潜らせ、潜らせた該一方の広幅部分を他方の広幅部分に重ね合わせて連結した第４の連結部材を含むことにしてもよい。
このように、第３駒片を折半せずに、自己の第３駒片の穴と他の第３駒片の穴を順次連結すれば、第1の実施形態の帯体に較べて強度は落ちるが、丸穴の裏側の一部が表面に現れるので、ファッション性に優れ、色彩又は色調のバリエーションを楽しむことができる。
【０００８】
本考案の駒片組は、柔軟な平面状の部材により短冊形に形成され、両端に同寸の穴を設けた第1駒片と、柔軟な平面状の部材により繭形に形成され、狭幅部分を挟んだ両側に広幅部分を有する第２駒片と、上記第２駒片の広幅部分それぞれに同寸の穴を設けた第３駒片と、を備え、上記第２駒片及び上記第３辺の何れか一方又は双方を組み合わせて連結した連結部材を、上記第1駒片の二つの穴のうちの何れか一方又は双方に連結して帯状部材を形成することを特徴とする。
このように、柔軟性を有する、例えば皮を型抜きしたシンプルな形状の３種類の駒片を準備しておけば、使用者の好みに応じて組合せたり、文字、図形、色彩、模様などを付し、デザインのバリエーションが楽しむことができる。
【考案の効果】
【０００９】
本考案の帯体及び帯体用駒片組によれば、着色した又は無着色の柔軟性にある素材を用いて型抜き等した３種類のシンプルな駒片を好みに合わせて組み合わせて肌に優しい帯体を作成したり、それに文字、図形、色彩、模様などを付し、デザインのバリエーションが楽しむことができる。
【図面の簡単な説明】
【００１０】
【図１】図１は、第1の実施形態の帯体を形成するために用いる、本実施形態の帯体用の第１駒片を示す図である。
【図２】図２は、第1の実施形態の帯体を形成するために用いる、本実施形態の帯体用の第２駒片を示す図である。
【図３】図３は、第1の実施形態の帯体を形成するために用いる、本実施形態の帯体用の第３駒片を示す図である。
【図４】図４は、丸穴の開いた第３駒片で終端させた、第１の実施形態の帯体を示す図である。
【図５】図５は、丸穴の無い第２駒片で終端させた、第１の実施形態の帯体を示す図である。
【図６】図６は、丸穴の開いた第３駒片で終端させた第1の実施形態の連結部材の一例を示す図である。
【図７】図７は、丸穴の無い第２駒片で終端させた第1の実施形態の連結部材の一例を示す図である。
【図８】図８は、第1の実施形態の連結部材の作成過程を示す図である。
【図９】図９は、第２の実施形態の帯体を示す図である。
【図１０】図１０は、丸穴の開いた第３駒片で終端させた第２の連結部材の一例を示す図である。
【図１１】図１１は、丸穴の無い第２駒片で終端させた第２の連結部材の一例を示す図である。
【図１２】図１２は、第２の実施形態の連結部材の作成過程を示す図である。
【考案を実施するための形態】
【００１１】
以下に、本考案の帯体及びその帯体用駒片の実施形態について説明する。
［第１の実施形態］
図１〜図３は、第1の実施形態の帯体を形成するために用いる、本実施形態の帯体用駒片を示す図であり、図１は、本実施形態の帯体用の第１駒片、図２は、本実施形態の帯体用の第２駒片、図３は、本実施形態の帯体用の第３駒片を示す。
図１に示すように、本実施形態の帯体用の第１駒片１０は、比較的厚手の皮を短冊形に型抜きし、その両端に同じサイズの丸穴１５を開けたものである。この第１駒片１０は、穴のない部分に名前やペットネーム、キャッチフレーズ、キャラクタなどを刻印したり印刷して、使用者の好みに応じて、文字、図形、色彩、模様などを付し、デザインのバリエーションが楽しめるように、他の第２駒片２０や第３駒片３０よりも長尺に構成されている。
ここで、本実施形態の帯体用の第１駒片１０は、長さが７２ｍｍ、幅が１３ｍｍ、厚さが２ｍｍで、丸穴径が１０ｍｍに設定されているが、必ずしもこれに限定されない。
【００１２】
図２に示すように、本実施形態の帯体用の第２駒片２０は、第１駒片１０よりも薄手の皮を繭形に型抜きしたもので、狭幅部分２１を挟んだ両側に同じサイズ、同じ形状の広幅部分２２が形成され、広幅部分２２は、丸味を帯びている。したがって、第２駒片２０の狭幅部分２１で二つ折りにすると、広幅部分２２はぴったりと重なるようになっている。
図３に示すように、本実施形態の帯体用の第３駒片３０は、第２駒片２０の広幅部分２２それぞれに、第１駒片１０と同じサイズの丸穴１５を開けたものである。したがって、第３駒片３０の狭幅部分２１で二つ折りすると、広幅部分２２はぴったりと重なり、同時に丸穴１５も重なり合い、穴が二重になるようになっている。
ここで、本実施形態の帯体用の第２駒片２０及び第３駒片３０は、長さが４５ｍｍ、広幅部分２２の幅が１５ｍｍ、狭幅部分１２の幅が１２ｍｍ、厚さが１ｍｍ、丸穴径は１０ｍｍに設定されているが、必ずしもこれに限定されない。また、第１駒片１０及び第３駒片３０の広幅部分２２に丸穴１５を設けているが、穴の形状は必ずしも円形である必要はなく、半円形であっても、ガマ口形であっても、菱形であっても、よく形状は問わない。
本実施形態の第１駒片１０や第３駒片３０の丸穴１５の径は、第２駒片２０や第３駒片３０の狭幅部分２１の幅よりも小さ目になっているので、第１駒片１０や第３駒片３０の丸穴１５に他の駒片を潜らせて順次連結すると遊びが生じ、帯体を形成したときに伸縮性が生じ、帯体の長手方向の引っ張り強さが増す。しかしながら、第１駒片１０や第３駒片３０の丸穴１５の径は、必ずしも狭幅部分２１の幅よりも小さ目にする必要はなく、同等又は少し大き目にしてもよい。
また、本実施形態の帯体用の第１駒片１０は、他の第２駒片２０や第３駒片３０よりも長尺に構成されているが、穴の無い部分に刻印したり印刷したりする目的によっては、長尺にする必要性は必ずしもない。
【００１３】
図４及び図５は、第１の実施形態の帯体を示す図であり、図４は、丸穴の開いた第３駒片で終端させた帯体の一例を示し、図５は、丸穴の無い第２駒片で終端させた帯体の一例を示す。
図４に示すように、第１の実施形態の帯体１は、第３駒片３０を３個連結した連結部材４１を、第１駒片１０の両方の丸穴１５に連結することにより形成されている。
ここで、本実施形態の帯体１は、第３駒片３０を３個連結した連結部材４１を第１駒片１０の両方の丸穴１５に連結することにより形成しているが、必ずしも第１駒片１０の両方の丸穴１５に連結部材４１を連結する必要はなく、片方に連結してもよいし、連結部材４１に連結される第３駒片３０は、必ずしも３個である必要はなく、１個でも２個でも、４個以上でもよい。
図５に示すように、第１の実施形態の別の帯体２は、第３駒片３０を３個と、第２駒片２０を１個連結した連結部材４３を、第１駒片１０の片方の丸穴１５に連結し、第３駒片３０を４個と、第２駒片２０を１個連結した連結部材４３を、他の片方の丸穴１５に連結して形成されている。
本実施形態の帯体は、第１駒片１０に「ｎｉｃｅ  ｇｕｙ」の英文字Ｅで刻印され、他の片方の丸穴１５に連結された第３個目の第３駒片３０と第４個目の第３駒片３０との境目の丸穴に「花」飾りＦが施されている。そして、第２駒片２０で終端する場合には、それぞれに雌雄のホック釦Ｈが係止されているので、手提紐や、ペットの首輪、リストバンドなどに使用することができる。
本実施形態の別の帯体２においても、第１駒片１０の両方の丸穴１５に連結部材４３が連結されているが、必ずしも両方に連結部材４３を連結する必要はない。また、連結部材４３に連結される第３駒片３０の数は、任意であるが、終端には必ず第２駒片２０が連結される。
なお、本実施形態の帯体２の終端にある第２駒片２０には雌雄のホック釦Ｈが係止され、相互に係合できるように構成されているが、必ずしもホック釦Ｈである必要はなく、フックであっても、面ファスナであってもよい。また必ずしも両端相互を係合させる必要もなく、帯体２の一方に吊紐を取り付けて使用してもよい。
【００１４】
図６〜図８は、本実施形態の連結部材を示す図であり、図６は、丸穴の開いた第３駒片で終端させた連結部材の一例を示し、図７は、丸穴の無い第２駒片で終端させた連結部材の一例を示し、図８は、連結部材の作成過程を示す。
図６に示す連結部材４１は、本発明の「第1の連結部材」に相当し、第1の第３駒片３１を折半して広幅部分２２を重ね合わせ、重ね合わせて形成された第1の二重穴１６に、第２の第３駒片３２の一方の広幅部分２２を潜らせ、潜らせた一方の広幅部分２２を他方の広幅部分２２に重ね合わせて第２の二重穴１７を形成する。そして、第２の二重穴１７に、第３の第３駒片３３の一方の広幅部分２２を潜らせ、潜らせた一方の広幅部分２２を他方の広幅部分２２に重ね合わせて第３の二重穴１８を形成する。さらに、第３の二重穴１８に、第４の第３駒片３４の一方の広幅部分２２を潜らせ、潜らせた一方の広幅部分２２を他方の広幅部分２２に重ね合わせて第４の二重穴１９を形成したものである。
図７に示す連結部材４３は、本発明の「第３の連結部材」に相当し、図６に示す第1の連結部材４１の第３の二重穴１８に、第４の第３駒片３４に変えて、第２駒片２０の一方の広幅部分２２を潜らせ、潜らせた一方の広幅部分２２を他方の広幅部分２２に重ね合わせたものである。
図８は、本実施形態の連結部材を作成する過程の一例を示すもので、第1の連結部材４１の第３の二重穴１８に、第４の第３駒片３４の一方の広幅部分２２を潜らせ、潜らせた一方の広幅部分２２を他方の広幅部分２２に重ね合わせて第４の二重穴１９を形成する過程を示している。
本実施形態の連結部材４１、４３は、第２駒片２０又は第３駒３０を折半し、重ね合わせて使用するので、強度があるうえ、二重穴１６〜１９の径は、第２駒片２０や第３駒片３０の狭幅部分２１の幅よりも少し小さ目になっているので、伸縮性がある。そして、第1駒片１０は、第２駒片２０又は第３駒片３０よりも厚味があるので、第1駒片１０と、第１連結部材４１又は第３連結部材４３とを組合せた本実施形態の帯体１、２は、肌にやさしいうえ、適度な強度と伸縮性とをもたせることができる。
【００１５】
［第２の実施形態］
本考案の帯体及びその帯体用駒片の第２実施形態は、帯体用駒片及び、上記第1駒片の二つの穴のうちの何れか一方又は双方に連結部材を連結して形成する点は共通する。しかしながら、連結部材の構成及び作成方法が相違するので、相違点について説明する。
図９は、第２の実施形態の帯体を示す図である。
図９に示すように、第２の実施形態の帯体３は、第３駒片３０を３個連結した連結部材４０を、第１駒片１０の両方の丸穴１５に連結することにより作成されている。
本実施形態の帯体３は、第３駒片３０を３個連結した連結部材４２を第１駒片１０の両方の丸穴１５に連結することにより形成されているが、必ずしも第１駒片１０の両方の丸穴１５に連結部材４２を連結する必要はなく、片方だけに連結してもよい。また、連結部材４２に連結される第３駒片３０の数は、必ずしも３個である必要はなく、１個でも２個でもよいし、４個以上でもよい。
ここで、図示はしていないが、第２の実施形態の別の帯体４として、例えば、上述した第３駒片３０を３個と、第２駒片２０を１個連結した連結部材４４を、第１駒片１０の両方の丸穴１５に連結し、両端を丸穴無しの状態に形成することできる。
本実施形態の帯体３も、第１の実施形態の帯体１、２と同様に、第１駒片１０に文字や記号、図形、模様などを印刷することや刻印を押すこと、連結部材４１、４３の境目の丸穴１５に「花飾り」や「キャラクタ」を取り付けることができる。そして、両端に第２駒片２０を連結して、丸穴無しの状態に形成し、両端に、雌雄のホック釦Ｈを係止し、手提紐や、ペットの首輪、リストバンドなどを作成することができる。
本実施形態の帯体３においても、第１駒片１０の両方の丸穴１５に連結部材４２が連結されているが、必ずしも両方に連結部材４２を連結する必要はない。また、連結部材４２に連結される第３駒片３０の数は、任意であるが、丸穴無しの状態で終端する場合には、第２駒片２０を連結する。
【００１６】
図１０〜図１２は、本実施形態の連結部材を示す図であり、図１０は、丸穴の開いた第３駒片で終端させた連結部材の一例を示し、図１１は、丸穴の無い第２駒片で終端させた連結部材の一例を示し、図１２は、連結部材の作成過程を示す。
図１０に示す連結部材４２は、本発明の「第２の連結部材」に相当し、第３駒片３０の一方の広幅部分２２の穴１５に、他の第３駒片３０の一方の広幅部分２２を潜らせ、潜らせたその一方の広幅部分２２の穴１５ａに他の第３駒片３０の他方の広幅部分２２の穴１５を潜らせ、潜らせた他方の広幅部分２２の穴１５ａに、順次別の他の第３駒片３０を連結し、形成されたたものである。
図１１に示す連結部材４４は、本発明の「第４の連結部材」に相当し、第２の連結部材４２の最後の穴１５Ｃに、第２駒片２０の一方の広幅部分２２を潜らせ、潜らせたその一方の広幅部分２２を、他方の広幅部分２２に重ね合わせて連結し、形成されたものである。
図１２は、本実施形態の連結部材４２，４４を作成する過程の一例を示すもので、第３駒片３０の一方の広幅部分２２の穴１５に、他の第３駒片３０の一方の広幅部分２２を潜らせた第２の連結部材４２の広幅部分２２の穴１５に、他の第３駒片３０の一方の広幅部分２２を潜らせた過程を示している。このあと、その一方の広幅部分２２の穴１５ｄに、他方の広幅部分２２を潜らせることにより、その他の第３駒片３０を第２の連結部材４２に連結する。
本実施形態の連結部材４２，４３は、第３駒片３０を折半せずに、自己の第３駒片３０の穴１５と他の第３駒片３０の穴１５を順次連結するので、第1の実施形態の帯体１、２に較べて強度は落ちるものの、丸穴１５の裏側の一部が表面に現れるので、ファッション性に優れ、色彩又は色調のバリエーションを楽しむことができる。
【産業上の利用可能性】
【００１７】
バッグ、折り畳み傘、携帯電話、カメラ、キーホルダーなどの手提紐や、時計バンド、ペットの首輪、リストバンドなどのベルトに使用することができる。
【符号の説明】
【００１８】
１、２、３    帯体    
１０    第１駒片  
１５    丸穴
１５ａ、１５ｄ  一方の広幅部分の穴
１５ｃ    最後の穴
１６    第1の二重穴
１７    第２の二重穴
１８    第３の二重穴
１９    第４の二重穴
２０    第２駒片
２１    狭幅部分
２２    広幅部分
３０    第３駒片
３１    第１の第３駒片  
３２    第２の第３駒片
３３    第３の第３駒片
３４    第４の第３駒片
４１、４２、４３，４４  連結部材
【図１】
0003157589.tif 000003
【図２】
0003157589.tif 000004
【図３】
0003157589.tif 000005
【図４】
0003157589.tif 000006
【図５】
0003157589.tif 000007
【図６】
0003157589.tif 000008
【図７】
0003157589.tif 000009
【図８】
0003157589.tif 000010
【図９】
0003157589.tif 000011
【図１０】
0003157589.tif 000012
【図１１】
0003157589.tif 000013
【図１２】
0003157589.tif 000014
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
柔軟な平面状の部材により短冊形に形成され、両端に同寸の穴を設けた第１駒片と、
柔軟な平面状の部材により繭形に形成され、狭幅部分を挟んだ両側に広幅部分を有する第２駒片と、
前記第２駒片の広幅部分それぞれに同寸の穴を設けた第３駒片と、を備え、
前記第２駒片及び前記第３駒片の何れか一方又は双方を連結した連結部材を、前記第１駒片の二つの穴のうちの何れか一方又は双方に連結して形成したことを特徴とする帯体。
【請求項２】
前記連結部材は、前記第３駒片の一つを折半して広幅部分を重ね合わせ、重ね合わせて形成された二重穴に、他の第３駒片の一方の広幅部分を潜らせ、潜らせた該一方の広幅部分を他方の広幅部分に重ね合わせて二重穴を形成し、順次別の第３駒片を連結した第１の連結部材を含むことを特徴とする請求項１記載の帯体。
【請求項３】
前記連結部材は、前記第３駒片の一方の広幅部分の穴に、他の該第３駒片の一方の広幅部分を潜らせ、潜らせた該一方の広幅部分の穴に該他の第３駒片の他方の広幅部分の穴を潜らせ、潜らせた該他方の広幅部分の穴に順次別の他の該第３駒片を連結した第２の連結部材を含むことを特徴とする請求項１記載の帯体。
【請求項４】
前記連結部材は、前記第１の連結部材の最後の二重穴に、前記第２駒片の一方の広幅部分を潜らせ、潜らせた該一方の広幅部分を他方の広幅部分に重ね合わせて連結した第３の連結部材を含むことを特徴とする請求項２記載の帯体。
【請求項５】
前記連結部材は、前記第２の連結部材の最後の穴に、前記第２駒片の一方の広幅部分を潜らせ、潜らせた該一方の広幅部分を他方の広幅部分に重ね合わせて連結した第４の連結部材を含むことを特徴とする請求項３記載の帯体。
【請求項６】
柔軟な平面状の部材により短冊形に形成され、両端に同寸の穴を設けた第1駒片と、
柔軟な平面状の部材により繭形に形成され、狭幅部分を挟んだ両側に広幅部分を有する第２駒片と、
前記第２駒片の広幅部分それぞれに同寸の穴を設けた第３駒片と、を備え、
前記第２駒片及び前記第３駒片の何れか一方又は双方を組み合わせて連結した連結部材を、前記第1駒片の二つの穴のうちの何れか一方又は双方に連結して帯状部材を形成することを特徴とする駒片組。
【請求項７】
前記第1駒片は、前記第２駒片よりも長尺であることを特徴とする請求項６記載の駒片組。
【請求項８】
前記第３駒片の広幅部分の穴径は、狭幅部分の幅よりも小さいことを特徴とする請求項６記載の駒片組。